【手続補正書】
【提出日】平成26年6月12日(2014.6.12)
【手続補正１】
【補正対象書類名】特許請求の範囲
【補正対象項目名】全文
【補正方法】変更
【補正の内容】
【特許請求の範囲】
【請求項１】
圧電体、および前記圧電体を挟む位置に形成された二つの電極を有する圧電素子と、
前記圧電素子から出力された電気信号を検出する検出処理、および前記圧電素子へ駆動信号を入力して駆動させる駆動処理の少なくともいずれかの信号処理を実施する信号処理部と、
前記圧電素子に分極用電圧を印加して分極処理を実施する分極処理部と、
前記二つの電極および前記信号処理部が接続される第１接続状態と、前記二つの電極および前記分極処理部が接続される第２接続状態と、を切り替える接続切替部と、を備える
ことを特徴とする圧電センサー装置。
【請求項２】
請求項１に記載の圧電センサー装置において、
前記接続切替部による接続状態の切り替えを制御する制御部を備え、
前記制御部は、
前記信号処理部による信号処理を実施可能な信号処理モードと、前記分極処理部による分極処理を実施する校正モードとを切り替えるモード切替部と、
前記モード切替部により、前記信号処理モードに切り替えられた際に、前記接続切替部を前記第１接続状態に切り替え、前記校正モードに切り替えられた際に、前記接続切替部を前記第２接続状態に切り替える接続制御部と、を備える
ことを特徴とする圧電センサー装置。
【請求項３】
請求項２に記載の圧電センサー装置において、
当該圧電センサー装置へ電力を供給する電力供給状態、および当該圧電センサー装置への電力の供給を遮断する電力非供給状態を切り替える電源スイッチを備え、
前記モード切替部は、前記電源スイッチが前記電力供給状態に切り替わった際に、前記校正モードに切り替え、前記分極処理部による分極処理が終了すると、前記信号処理モードに切り替える
ことを特徴とする圧電センサー装置。
【請求項４】
請求項２に記載の圧電センサー装置において、
前記制御部は、前記信号処理部による信号処理を実行させる旨の入力信号を取得する信号取得部を備え、
前記モード切替部は、前記信号取得部が前記入力信号を取得すると、前記校正モードに切り替え、前記分極処理部による分極処理が終了すると、前記信号処理モードに切り替える
ことを特徴とする圧電センサー装置。
【請求項５】
請求項２に記載の圧電センサー装置において、
前記制御部は、
前記信号処理部による信号処理を実行させる旨の入力信号を取得する信号取得部と、
前記信号処理部による信号処理が終了した処理停止時点からの経過時間を計測する計時部と、を備え、
前記モード切替部は、前記処理停止時点からの所定の待機移行期間の間、前記信号取得部により前記入力信号が取得されなかった場合に、前記校正モードに切り替え、前記分極処理部による分極処理が終了すると、前記信号処理モードに切り替える
ことを特徴とする圧電センサー装置。
【請求項６】
請求項１に記載の圧電センサー装置において、
前記接続切替部による接続状態の切り替えを制御する制御部と、
前記圧電センサー装置へ電力を供給する電力供給状態、および当該圧電センサー装置への電力の供給を遮断する電力非供給状態を切り替える電源スイッチと、を備え、
前記制御部は、前記電源スイッチが前記電力供給状態に切り替わった際に、前記接続切替部を前記第２接続状態に切り替え、前記分極処理部による分極処理を実施させ、前記分極処理部による分極処理が終了すると、前記接続切替部を前記第１接続状態に切り替える
ことを特徴とする圧電センサー装置。
【請求項７】
請求項１に記載の圧電センサー装置において、
前記接続切替部による接続状態の切り替えを制御する制御部を備え、
前記制御部は、
前記信号処理部による信号処理を実行させる旨の入力信号を取得する信号取得部と、前記信号処理部による信号処理が終了した処理停止時点からの経過時間を計測する計時部と、を備え、
前記処理停止時点からの所定の待機移行期間の間、前記信号取得部により前記入力信号が取得されなかった場合に、前記接続切替部を前記第２接続状態に切り替え、前記分極処理部による分極処理を実施させ、前記分極処理部による分極処理が終了すると、前記接続切替部を前記第１接続状態に切り替える
ことを特徴とする圧電センサー装置。
【請求項８】
圧電体、および前記圧電体を挟む位置に形成された二つの電極を有する圧電素子と、
前記圧電素子から出力された電気信号を検出する検出処理、および前記圧電素子へ駆動信号を入力して駆動させる駆動処理の少なくともいずれかの信号処理を実施する信号処理部と、
前記圧電素子に分極用電圧を印加して分極処理を実施する分極処理部と、
前記二つの電極および前記信号処理部が接続される第１接続状態と、前記二つの電極および前記分極処理部が接続される第２接続状態と、を切り替える接続切替部と、を備え、
前記圧電素子は、超音波の受信および送信が可能に構成され、
前記信号処理部は、前記検出処理として超音波による受信信号の検出処理、および前記駆動処理として超音波を送信する駆動処理の少なくともいずれかの信号処理を行う
ことを特徴とする超音波センサー。
【請求項９】
圧電体、および前記圧電体を挟む位置に形成された二つの電極を有する圧電素子を備えた圧電センサー装置の駆動方法であって、
前記圧電センサー装置は、
前記圧電素子から出力された電気信号を検出する検出処理、および前記圧電素子へ駆動信号を入力して駆動させる駆動処理の少なくともいずれかの信号処理を実施する信号処理部と、
前記圧電素子に分極用電圧を印加して分極処理を実施する分極処理部と、
前記二つの電極および前記信号処理部が接続される第１接続状態と、前記一対の電極および前記分極処理部が接続される第２接続状態と、を切り替える接続切替部と、を備え、
当該圧電センサー装置の駆動方法は、
前記接続切替部における接続状態を第２接続状態に切り替えて、前記分極処理部により前記圧電素子に分極用電圧を印加する分極工程と、
前記分極工程後に、前記接続切替部における接続状態を第１接続状態に切り替えて、前記信号処理部により、前記検出処理および前記信号処理の少なくともいずれかの処理を実施する信号処理工程と、
を備えることを特徴とする圧電センサー装置の駆動方法。
【手続補正２】
【補正対象書類名】明細書
【補正対象項目名】発明の名称
【補正方法】変更
【補正の内容】
【発明の名称】圧電センサー装置、超音波センサー、および圧電センサー装置の駆動方法
【手続補正３】
【補正対象書類名】明細書
【補正対象項目名】０００１
【補正方法】変更
【補正の内容】
【０００１】
本発明は、圧電センサー装置、超音波センサー、および圧電センサー装置の駆動方法に関する。
【手続補正４】
【補正対象書類名】明細書
【補正対象項目名】０００５
【補正方法】変更
【補正の内容】
【０００５】
本発明は、圧電体の経年劣化を抑制できる圧電センサー装置、超音波センサー、および圧電センサー装置の駆動方法を提供することを目的とする。
【手続補正５】
【補正対象書類名】明細書
【補正対象項目名】０００６
【補正方法】変更
【補正の内容】
【０００６】
本発明の圧電センサー装置は、圧電体、および前記圧電体を挟む位置に形成された二つの電極を有する圧電素子と、前記圧電素子から出力された電気信号を検出する検出処理、および前記圧電素子へ駆動信号を入力して駆動させる駆動処理の少なくともいずれかの信号処理を実施する信号処理部と、前記圧電素子に分極用電圧を印加して分極処理を実施する分極処理部と、前記二つの電極および前記信号処理部が接続される第１接続状態と、前記二つの電極および前記分極処理部が接続される第２接続状態と、を切り替える接続切替部と、を備えることを特徴とすることを特徴とする。
なお、圧電素子としては、素子単体で駆動される構成であってもよく、複数の圧電素子がアレイ状に配列されて素子群を形成するものであってもよい。
【手続補正６】
【補正対象書類名】明細書
【補正対象項目名】００１２
【補正方法】変更
【補正の内容】
【００１２】
本発明の圧電センサー装置の駆動方法は、圧電体、および前記圧電体を挟む位置に形成された二つの電極を有する圧電素子を備えた圧電センサー装置の駆動方法であって、前記圧電センサー装置は、前記圧電素子から出力された電気信号を検出する検出処理、および前記圧電素子へ駆動信号を入力して駆動させる駆動処理の少なくともいずれかの信号処理を実施する信号処理部と、前記圧電素子に分極用電圧を印加して分極処理を実施する分極処理部と、前記二つの電極および前記信号処理部が接続される第１接続状態と、前記一対の電極および前記分極処理部が接続される第２接続状態と、を切り替える接続切替部と、を備え、当該圧電センサー装置の駆動方法は、前記接続切替部における接続状態を第２接続状態に切り替えて、前記分極処理部により前記圧電素子に分極用電圧を印加する分極工程と、前記分極工程後に、前記接続切替部における接続状態を第１接続状態に切り替えて、前記信号処理部により、前記検出処理および前記信号処理の少なくともいずれかの処理を実施する信号処理工程と、を備えることを特徴とする。